(57)【要約】      （修正有）【課題】フットバスにおいて、足裏を金属が押圧するようにして、その金属の有する効果を発揮するようにしたアタッチメントを提供する。【解決手段】足浴槽の内部に加温した水を貯溜するとともに、足裏のつぼと合致する突出部６を有するつぼ押し板５を配設したフットバスにおいて、つぼ押し板５の任意の突出部６の少なくとも上部に被嵌されてつぼ押し時に足裏を押圧するようにしたアタッチメント１を配設し、このアタッチメント１は、切頭円錐状をなす筒状部２と、この筒状部２の上部開口部３を閉塞する閉塞部４とからなり、筒状部２は９９．９９パーセントの銀を含有するとともに、閉塞部４は少なくとも純度９９パーセントのゲルマニウムを含有している。【選択図】図１
2008086555.tif 000002
【特許請求の範囲】
【請求項１】
足浴槽の内部に加温した水を貯溜するとともに、足裏のつぼと合致する突出部を有するつぼ押し板を配設したフットバスにおいて、前記つぼ押し板の任意の突出部の少なくとも上部に被嵌されてつぼ押し時に足裏を押圧するようにしたアタッチメントを配設し、このアタッチメントは、種々な金属で形成されていることを特徴とするフットバス用アタッチメント。
【請求項２】
このアタッチメントは、少なくとも純度９９パーセントのゲルマニウムを含有している請求項１記載のフットバス用アタッチメント。
【請求項３】
前記アタッチメントは、純度が９９．９９パーセントの銀製の部分と、少なくとも純度９９パーセントのゲルマニウムの部分とを有し、ゲルマニウムの部分が足裏を押圧するようにした請求項１記載のフットバス用アタッチメント。
【請求項４】
前記アタッチメントは、種々なつぼ押し板の突出部に被嵌可能に形成されている請求項１〜３記載のフットバス用アタッチメント。
【請求項５】
足浴槽の内部に加温した水を貯溜するとともに、足裏のつぼと合致する突出部を有するつぼ押し板を配設したフットバスにおいて、前記つぼ押し板の任意の突出部の少なくとも上部に被嵌されてつぼ押し時に足裏を押圧するようにしたアタッチメントを配設し、このアタッチメントは、切頭円錐状をなす筒状部と、この筒状部の上部開口部を閉塞する閉塞部とからなり、筒状部は９９．９９パーセントの銀を含有するとともに、閉塞部は少なくとも純度９９パーセントのゲルマニウムを含有していることを特徴とするフットバス用アタッチメント。
【発明の詳細な説明】
【技術分野】
【０００１】
この発明はフットバスに用いられてつぼ押し効果を高めることができるフットバス用アタッチメントに関するものである。
【背景技術】
【０００２】
一般にフットバスにあっては、保温用ヒータを具えた足浴槽と、この足浴槽内に配置され、足浴槽内に貯溜される塩水とを有し、塩水としては塩化ナトリウムと塩化マグネシウムを主成分とする高濃度塩水が知られている。そして足浴槽内で加温された高濃度塩水内に使用者が足を浸すととも、場合によっては、足のつぼに一致する複数箇所に突出部が設けられているつぼ押し板を配設して、つぼ押し板の上部に足を置いて押圧することで温浴効果に加えてつぼ押し効果を得るようになっている。
【０００３】
この場合、塩水を用いるものは清潔感を保つために使用毎に塩水を交換する必要があり、このためにランニングコストが高くなる。また、最近はゲルマニウムなどがブームとなっているので、有機ゲルマニウム微粉末を水の内部に入れてゲルマニウム効果を得るようにしたものや、セラミックとゲルマニウムとを混合して形成したゲルマニウムボールを配置したものがあるが、有機ゲルマニウム微粉末を用いたものは毎回の水交換を行わない場合は清潔感がなくなってしまい、このためにランニングコストが高くなる。また、ゲルマニウムボールを用いたものはゲルマニウムイオンの溶出量がゲルマニウム１００パーセントのものと比較すると少なくなってしまう。
【特許文献１】特開２００４−２６１４７５号公報
【発明の開示】
【発明が解決しようとする課題】
【０００４】
この発明は、温浴効果の他に、つぼ押し効果およびゲルマニウムによる遠赤外線効果やマイナスイオン効果を得るようにし、しかも、ランニングコストを安価にすることができるフットバス用アタッチメントを提供することを目的とする。
さらに、この発明は、温浴効果の他に、つぼ押し効果およびゲルマニウムによる遠赤外線効果やマイナスイオン効果を得るようにし、さらに、温浴時に雑菌が発生しないように銀抗菌効果を発揮させ、しかも、ランニングコストを安価にすることができるフットバス用アタッチメントを提供することを目的とする。
【課題を解決するための手段】
【０００５】
この発明は、足浴槽の内部に加温した水を貯溜するとともに、足裏のつぼと合致する突出部を有するつぼ押し板を配設したフットバスにおいて、前記つぼ押し板の任意の突出部の少なくとも上部に被嵌されてつぼ押し時に足裏を押圧するようにしたアタッチメントを配設し、このアタッチメントは、種々な金属で形成されている手段を採用した。
また、このアタッチメントは、少なくとも純度９９パーセントのゲルマニウムを含有した構成を有している。また、前記アタッチメントは、純度が９９．９９パーセントの銀で形成した部分と、少なくとも純度９９パーセントのゲルマニウムとを含有して形成した部分とからなる構成を有し、このアタッチメントは、つぼ押し板に設けた種々な突出部に被嵌可能な構成を有した手段を採用した。
さらに、この発明は、足浴槽の内部に加温した水を貯溜するとともに、足裏のつぼと合致する突出部を有するつぼ押し板を配設したフットバスにおいて、前記つぼ押し板の任意の突出部の少なくとも上部に被嵌されてつぼ押し時に足裏を押圧するようにしたアタッチメントを配設し、このアタッチメントは、切頭円錐状をなす筒状部と、この筒状部の上部開口部を閉塞する閉塞部とからなり、筒状部は９９．９９パーセントの銀を含有するとともに、閉塞部は少なくとも純度９９パーセントのゲルマニウムを含有している手段を採用した。
【発明の効果】
【０００６】
この発明のフットバス用アタッチメントは、フットバス自体が有する温浴効果やつぼ押し板の突出部によるつぼ押し効果に加えて、ゲルマニウムによる遠赤外線効果やマイナスイオン効果を得るようにし、しかも、ランニングコストがかからないようにすることができる。
さらに、この発明のフットバス用アタッチメントは、フットバス自体が有する温浴効果やつぼ押し板の突出部によるつぼ押し効果に加えて、ゲルマニウムによる遠赤外線効果やマイナスイオン効果、さらに、温浴時に雑菌が発生しないように銀抗菌効果を発揮させ、しかも、ランニングコストがかからないようにすることができる。
【発明を実施するための最良の形態】
【０００７】
以下、図面に示すこの発明の実施の形態について説明する。
図１はフットバスのつぼ押し板の突出部にこの発明によるフットバス用アタッチメントを被嵌した状態を示す概略縦断面図、図２はこの発明によるフットバス用アタッチメントの概略正面図、図３はこの発明によるフットバス用アタッチメントの概略縦断面図、図４はフットバスのつぼ押し板の概略説明図である。
【０００８】
このフットバス用アタッチメント１は、切頭円錐状をなす銀製の筒状部２と、この筒状部２の下部開口部から挿入されて、上部開口部３に嵌着されて上部開口部３を閉塞しているゲルマニウム製の閉塞部４とから構成されている。
そして、前記銀製の筒状部２はつぼ押し板５の各突出部６、６、……に被嵌可能であり、突出部６、６、……に被嵌した状態で突出部６の上面にはゲルマニウム製の閉塞部４が位置する。したがって、足裏を乗せることで閉塞部４が足裏のつぼを押圧するようになっている。
【０００９】
なお、この発明によるアタッチメント１を被嵌する突出部６が設けられているつぼ押し板５は、両足を並べた状態で足を位置するように、あるいは片足ずつの状態で位置するように形成されていて、それぞれのつぼ押し板５の上面には足裏のつぼの位置に前記各突出部６、６、……が突設されている。したがって、足裏の所望のつぼを押圧するように対応する突出部６にこの発明によるフットバス用アタッチメント１を被嵌するようになっている。
【００１０】
上記のように構成したアタッチメントにあっては、たとえば、ゲルマニウムは純度９９．０パーセント以上のものが用いられ、また、銀はたとえば、含有率９９．９９パーセント以上のものを用いている。
なお、アタッチメント１の前記筒状部２の円錐の角度、内径、高さ等の形状は、つぼ押し板５に設けられた種々の突出部６、６、……に合致するように決定されるものである。
【００１１】
上記のものにあっては、ランニングコストがかからないようにでき、遠赤外線効果やマイナスイオン電子発生効果のあるゲルマニウムによる効果、銀による抗菌効果、清潔度を得ることができる。
なお、前記実施の形態においては、アタッチメント１として銀とゲルマニウムとを用いて足裏に押圧する部位をゲルマニウムとしたが、これに限定することなく種々の素材、たとえば、酸化チタン、トルマリン等を用いることが出来、それらの効果とつぼ押し効果とが相乗的に発揮されるものである。
【図面の簡単な説明】
【００１２】
【図１】フットバスのつぼ押し板の突出部にこの発明によるフットバス用アタッチメントを被嵌した状態を示す概略縦断面図である。
【図２】この発明によるフットバス用アタッチメントを示す概略正面図である。
【図３】この発明によるフットバス用アタッチメントを示す概略縦断面図である。
【図４】フットバスのつぼ押し板の概略説明図である。
【符号の説明】
【００１３】
１……フットバス用アタッチメント
２……筒状部
３……上部開口部
４……閉塞部
５……つぼ押し板
６……突出部
【図１】
2008086555.tif 000003
【図２】
2008086555.tif 000004
【図３】
2008086555.tif 000005
【図４】
2008086555.tif 000006